(57)【要約】【課題】成形が簡単であって製作コストが抑えられ、一部品からなることから組み付けや在庫管理も容易となり、しかも、頑強であって経年変化に優れ破損することもほとんどないタンクレールの球整流部材を提供する。【解決手段】上面が開口すると共に仕切壁９を挟んで並設される球通路１０，１１を有したタンクレール６の球整流部材２０であって、前記球通路１０，１１の下流側に軸着される軸着部２０ａと、該軸着部２０ａから各球通路１０，１１の上流側の上縁に沿って延設されかつその先端部に進むに従い漸次上方へ反るように成形される球整流部２０ｂとからなり、前記軸着部２０ａから球整流部２０ｂに至るまですべて一本の硬質金属線材を屈曲して連続状かつ一体に成形されている構成とした。【選択図】図６
2006158528.tif 000002
【特許請求の範囲】
【請求項１】
上面が開口すると共に仕切壁を挟んで並設される球通路を有したタンクレールの球整流部材であって、
前記球通路の下流側に軸着される軸着部と、前記軸着部から前記各球通路の上流側の上縁に沿って延設されかつその先端部に進むに従い漸次上方へ反るように成形される球整流部とからなり、前記軸着部から前記球整流部に至るまですべて一本の硬質金属線材を屈曲して連続状かつ一体に成形されていることを特徴とするタンクレールの球整流部材。
【請求項２】
前記各球通路に対応する球整流部における各先端部を連結する横杆部は、前記仕切壁の上端縁から上方へ突出する受止片の上端面に受け止められるようにした請求項１記載のタンクレールの球整流部材。
【請求項３】
前記硬質金属線材は、全外周面が樹脂被覆されている請求項１又は２記載のタンクレールの球整流部材。
【発明の詳細な説明】
【技術分野】
【０００１】
この発明は、弾球遊技機の裏側に装着したタンクレールに取着され、該タンクレールの球通路内を流下する遊技球を整流するためのタンクレールの球整流部材に関するものである。
【背景技術】
【０００２】
従来、例えば、弾球遊技機の一種であるパチンコ遊技機は、前面枠裏側の機構板に遊技球を貯留する球タンクが配設され、その下方に該球タンクからの遊技球を球払出装置へ供給するためのタンクレールが配設されている。該タンクレールは、上面が開口すると共に仕切壁を挟んで併設される２条の球通路を有し、また、球通路の下流側に各球通路内の遊技球を整流する球整流部材であるガイド板が配置されている（例えば、特許文献１参照。）。
【特許文献１】特開平０５−９６０５１号公報（第４頁段落００２７、図１１）
【発明の開示】
【発明が解決しようとする課題】
【０００３】
ところで、前記球整流部材は、通常、合成樹脂材によって成形されるが、このように合成樹脂材により成形される球整流部材は、そのための金型を製作する必要があることから、金型の設計に時間が掛かるばかりかその分製作コストも高くなり、また、ウエイトを必要とするなど部品点数が増え組み付けや在庫管理が面倒になるという課題がある。
【０００４】
そこで、本発明は上記課題を解決すべくなされたもので、一本の硬質金属線材を屈曲して連続状かつ一体に成形することにより、金型を不要とし成形が簡単であって製作コストが抑えられ、一部品からなることから組み付けや在庫管理も容易となり、しかも、頑強であって経年変化に優れ破損することもほとんどないタンクレールの球整流部材を提供することを目的とするものである。
【課題を解決するための手段】
【０００５】
かかる目的を達成するため請求項１記載のタンクレールの球整流部材は、上面が開口すると共に仕切壁を挟んで並設される球通路を有したタンクレールの球整流部材であって、前記球通路の下流側に軸着される軸着部と、該軸着部から各球通路の上流側の上縁に沿って延設されかつその先端部に進むに従い漸次上方へ反るように成形される球整流部とからなり、前記軸着部から球整流部に至るまですべて一本の硬質金属線材を屈曲して連続状かつ一体に成形されている構成とした。
【０００６】
また、前記各球通路に対応する球整流部における各先端部を連結する横杆部は、前記仕切壁の上端縁から上方へ突出する受止片の上端面に受け止められるようにすることが好ましい。
【０００７】
更に、前記硬質金属線材は、全外周面が樹脂被覆されていることが好ましい。
【発明の効果】
【０００８】
請求項１記載のタンクレールの球整流部材は、軸着部から球整流部に至るまですべて一本の硬質金属線材を屈曲して連続状かつ一体に成形するようにしたので、金型が不要となり、成形が簡単であって製作コストが抑えられる。また、球整流部材は一部品からなることから組み付けや在庫管理も容易となり、しかも、頑強であって経年変化に優れ破損することもほとんどないという有益な効果を奏する。
【０００９】
また、請求項２記載のタンクレールの球整流部材にあっては、各球通路に対応する球整流部における各先端部を連結する横杆部が、前記仕切壁の上端縁から上方へ突出する受止片の上端面に受け止められるようにしたので、常態では、球整流部材が安定して設置でき、誤動作を起すことなく遊技球の整流動作が正確に行なえる。
【００１０】
更に、硬質金属線材の全外周面を樹脂被覆すれば、その外周面の錆の発生が抑えられると共に耐磨耗性にも優れ、常に、確実な作動が可能となる。
【発明を実施するための最良の形態】
【００１１】
以下、本発明に係るタンクレールの球整流部材の実施の形態を図面に基づき説明する。なお、弾球遊技機には、例えば、パチンコ遊技機、アレンジボール機または雀球遊技機があるが、本発明にあっては、その一例としてパチンコ遊技機について説明する。図１は本発明が適用されるパチンコ遊技機の裏面図、図２は同タンクレールの要部の斜視図である。
【００１２】
パチンコ遊技機Ａは、外側に機枠１を有し、その前面に内枠２が開閉自在に装着され、該内枠２に遊技盤３が装着される。図示は省略するが、該内枠２の前面には、前記遊技盤３の前面を覆う透明板保持枠、打球発射部へ供給されるパチンコ球を貯留するための上球皿が装着された前面板、上球皿から溢れたパチンコ球を貯留する下球皿がそれぞれ装着される。
【００１３】
一方、内枠２の後側には遊技盤３を覆うように合成樹脂製の機構板４が開閉自在に装着される。機構板４の上部にパチンコ遊技機Ａの外側から遊技球であるパチンコ球が供給される球タンク５が配設され、その下方に該球タンク５からのパチンコ球を下方の球払出装置７へ供給する合成樹脂製のタンクレール６が配設されている。前記球払出装置７から払い出されたパチンコ球はその下流の球排出通路８を介して前記上球皿に排出されることになる。
【００１４】
タンクレール６は、図３、図４に示すように一側である球タンク５の球落口５ａ側が高く他側が低くなるようにして機構板４に装着され、上面が開口すると共に中央の仕切壁９を挟んで前後２条の球通路１０，１１が成形される。各球通路１０，１１の底壁１２の下流端には、球払出装置７へパチンコ球を供給するための供給通路１３と連通する排出口１４，１４が開設されている。
【００１５】
また、仕切壁９の下端部とタンクレール６の後壁１５の下端部に対向位置して上方へ突出する支持片１６ａ，１６ｂが一体に設けられ、仕切壁９側の支持片１６ａに貫通孔１７が貫設される。また、後壁１５側の支持片１６ｂに前記貫通孔１７と同一軸線上に位置して該貫通孔１７より小径の支持孔１８が開設されている。これに対し、機構板４側にはその後面に、先端に小径部１９ａが同一軸線上に突設された支軸１９が突設され、前記支持孔１８に小径部１９ａが挿通され、貫通孔１７に支軸１９が挿通されることになる。
【００１６】
そして、前記支軸１９に本発明に係る球整流部材２０と、球止部材２１が軸着される。球整流部材２０は、図５、図６に示すように前記支軸１９が挿通される２個の軸着部２０ａ，２０ａと該各軸着部２０ａから前記各球通路１０，１１の上流側の上縁に沿って延設されかつその先端部に進むに従い漸次上方へ反るように成形される２本の球整流部２０ｂ，２０ｂとからなる。両球整流部２０ｂ，２０ｂにおける各先端部は横杆部２０ｃにより連結されている。しかも、両軸着部２０ａ，２０ａから両球整流部２０ｂ，２０ｂに至るまですべて、前記横杆部２０ｃを含め一本の硬質金属線材を屈曲して連続状かつ一体に成形される。
【００１７】
すなわち、タンクレール６が２条の球通路１０，１１を有するので、各球通路１０，１１に対応させてそれぞれ二本の球整流部２０ｂ，２０ｂが設けられ、その基端側は互いに上方へ反るように湾曲させて軸着部２０ａ，２０ａが成形される。また、前記２本の球整流部２０ｂ，２０ｂの先端部を連結する横杆部２０ｃは、後記するように仕切壁９の下流側の上端縁から上方へ突出する受止片２２の上端面に乗り受け止められるようになっている。前記硬質金属線材の全外周面にはナイロンコーティングといった樹脂被覆ｐがされており、耐磨耗性に優れる。
【００１８】
球止部材２１は、合成樹脂製からなり、図６に示すように基板２１ａの基端部に支軸１９が挿通される一対の挿通環２１ｄ，２１ｄが同一軸線上に設けられ、基板２１ａの先端側の裏面に前記各球通路１０，１１内に介入し得る一対の球止片２１ｂ，２１ｂが突設されている。また、基板２１ａの後端縁に手で操作するための操作片２１ｃが突設される。
【００１９】
タンクレール６を機構板４に取付けるには、球整流部材２０の両軸着部２０ａ，２０ａ間に球止部材２１の両挿通環２１ｄ，２１ｄを介装し、更に、両挿通環２１ｄ，２１ｄ間に仕切壁９の支持片１６ａを介入する。この状態で、タンクレール６を機構板４の所定位置に配設し、支軸１９を軸着部２０ａ、挿通環２１ｄ、貫通孔１７、挿通環２１ｄ、軸着部２０ａの順に挿通し、支軸１９先端の小径部１９ａを支持孔１８に挿通する。
【００２０】
これにより、球整流部材２０が支軸１９を中心として上下に自在に揺動するようになり、各球整流部２０ｂが各球通路１０，１１の上縁に沿ってその通路幅の中央の上方部位に位置する。また、両球整流部２０ｂ，２０ｂ先端部を接続する横杆部２０ｃが、仕切壁９の所定位置に設けられ上方へ突出する受止片２２の上面に受け止められて静止することになる。
【００２１】
また、球整流部材２０は、各球通路１０，１１内のパチンコ球を整流するため所定の重量を有する。そして、図３に示すように各球通路１０，１１内を２段、３段と重なって流下するパチンコ球を１段に整流して、これらパチンコ球を球詰まりを起すことなく排出口１４へ導くようにしている。
【００２２】
前記球止部材２１は、常態では支軸１９を中心として上方へ回動させた位置に停止させてある。そこで、例えば、遊戯中に球払出装置７が故障し該球払出装置７を点検する場合、タンクレール６内に滞留するパチンコ球が排出口１４から流出しないようにするため、操作片２１ｃを摘んで下方へ回動させる。これにより、図３に示すように各球止片２１ｂ，２１ｂが各球通路１０，１１内に介入し、それら球通路１０，１１の通路幅を狭めてパチンコ球が流下するのを止める。球払出装置７の点検が終了すれば、再び球止部材２１を上方へ回動させておく。
【００２３】
このように、本発明に係るタンクレールの球整流部材２０は、軸着部２０ａから球整流部２０ｂに至るまですべて一本の硬質金属線材を屈曲して連続状かつ一体に成形するようにしたので、金型が不要となり、成形が簡単であって製作コストが抑えられる。また、球整流部材２０は一部品からなることから組み付けや在庫管理も容易となり、しかも、頑強であって経年変化に優れ破損することもほとんどない。
【００２４】
また、各球通路１０，１１に対応する各球整流部２０ｂの各先端部を連結する横杆部２０ｃが仕切壁９の上端縁から上方へ突出する受止片２２の上端面に受け止められるので、常態では、球整流部材２０が安定して設置でき、誤動作を起すことなくパチンコ球の整流動作が正確に行なえる。
【００２５】
更に、球整流部材２０は、硬質金属線材の全外周面が樹脂被覆されているので、その外周面の錆の発生が抑えられると共に耐磨耗性にも優れ、常に、確実な作動が可能となる。
【００２６】
本実施の形態では、タンクレールの球通路が２条である場合の球整流部材について説明したが、例えば、球通路を３条又は４条有するタンクレールについても適用でき、これらの場合も各球通路に対応して球整流部が成形されることになる。
【図面の簡単な説明】
【００２７】
【図１】本発明が適用されるパチンコ遊技機の裏面図。
【図２】同タンクレールの要部の斜視図。
【図３】機構板に配設されたタンクレールの正面断面図。
【図４】同平面図。
【図５】球整流部材の斜視図。
【図６】タンクレールの分解斜視図。
【符号の説明】
【００２８】
６                      タンクレール
９                      仕切壁
１０                    球通路
１１                    球通路
２０                    球整流部材
２０ａ                  軸着部
２０ｂ                  球整流部
２０ｃ                  横杆部
２２                    受止片
Ａ                      弾球遊技機（パチンコ遊技機）
ｐ                      樹脂被覆
【図１】
2006158528.tif 000003
【図２】
2006158528.tif 000004
【図３】
2006158528.tif 000005
【図４】
2006158528.tif 000006
【図５】
2006158528.tif 000007
【図６】
2006158528.tif 000008